(57)【要約】      （修正有）【課題】束ねた髪の端部を確固と固着し、脱落しないように構成すると共に、環体の連続により、美観を提供し、取付操作も簡単で何人も実施できる髪用化粧環体を提供する。【解決手段】束ねた毛髪ｋを挿通できる小孔２を備える上部飾り環１及び中間飾り環７の介在を可能とする毛髪ｋの端部の挿通を阻止できる底部９を有する下部飾り環８とより成り、これらの上部飾り環１、中間飾り環７及び下部飾り環８を直状に着脱可能とすると共に、上部飾り環１内の中空部３内に、挿通可能な縦割開口部６を開口したカプセル容器５を収納でき、かつ束ねた毛髪ｋの端部を収納し、係止固定させて成ることを特徴とする。【選択図】図１
0003208891.tif 000002
【実用新案登録請求の範囲】
【請求項１】
束ねた毛髪を挿通できる小孔を備える上部飾り環及び中間飾り環の介在を可能とする毛髪の端部の挿通を阻止できる底部を有する下部飾り環とより成り、これらの上部飾り環、中間飾り環及び下部飾り環を直状に着脱可能とすると共に、前記上部飾り環内の中空部内に、挿通可能な縦割開口部を開口したカプセル容器を収納でき、かつ束ねた毛髪の端部を収納し、係止固定させて成ることを特徴とする髪用化粧環体。
【請求項２】
前記着脱可能とは、凹凸係止可能な雌ねじ、雄ねじとして構成して成ることを特徴とする請求項１記載の髪用化粧環体。
【考案の詳細な説明】
【技術分野】
【０００１】
本考案は、主として人間の髪のアクセサリーとして髪形を美しく見せることができる髪用化粧環体に関する。
【背景技術】
【０００２】
この種の髪を飾る化粧具として、いくつかのものが知られている。
【０００３】
例えば、ビーズを髪に挿通してヘアービーズとして用いるのが一般的であるが、髪を帯状に収束して宝石などの宝飾品を取付けたリングを挿通して髪を飾るものが知られている（例えば、特許文献１参照）。また、束ねた髪をワンタッチで把持でき、上下に移動する頭髪飾り具なども知られている（例えば、特許文献２参照）。
【先行技術文献】
【特許文献】
【０００４】
【特許文献１】特開２０１１−０９２６１０号公報
【特許文献１】特開２００５−１１０８７４号公報
【考案の概要】
【考案が解決しようとする課題】
【０００５】
上記文献のうち、文献１は、束ねた髪にリングを嵌め、このリング上に髪の表面に臨まれる宝石などの装飾品を固着させており、束ねた髪の端部を装飾することは脱落する可能性があるので出来ないと共に、文献２の装飾品は束ねた髪に内外二重の内装体と外装体を装着し、毛髪の位置に関係なく装着できるようになっており、操作は簡単であっても束ねた毛髪は確固に止めていないので、使用中髪の端部より脱落するという不都合は避けられない。
【０００６】
本考案は叙上の点に着目して成されたもので、束ねた髪の端部を確固と固着し、脱落しないように構成すると共に、環体の連続により美観を提供し、取付操作も簡単で何人でも実施できるようにした特徴ある髪用化粧環体を提供することを目的とする。
【課題を解決するための手段】
【０００７】
この考案は下記の構成を備えることにより上記課題を解決できるものである。
【０００８】
（１）束ねた毛髪を挿通できる小孔を備える上部飾り環及び中間飾り環の介在を可能とする毛髪の端部の挿通を阻止できる底部を有する下部飾り環とより成り、これらの上部飾り環、中間飾り環及び下部飾り環を直状に着脱可能とすると共に、前記上部飾り環内の中空部内に、挿通可能な縦割開口部を開口したカプセル容器を収納でき、かつ束ねた毛髪の端部を収納し、係止固定させて成ることを特徴とする髪用化粧環体。
【０００９】
（２）前記着脱可能とは、凹凸係止可能な雌ねじ、雄ねじとして構成して成ることを特徴とする前記（１）記載の髪用化粧環体。
【考案の効果】
【００１０】
毛髪の片側又は両側などの束ねた毛髪の末端を、上部飾り環に収納して、中間飾り環と連結する前に、カプセル容器内に縦割開口部を開口して内部に固定し、最後に下部飾り環を連結することにより、束ねた毛髪の端部を確固に固定支持でき、しかも簡単に髪飾りを取付けられるので、誰でも他人の力を借りることなく髪飾りを楽しむことができる。
【図面の簡単な説明】
【００１１】
【図１】本考案の実施例に示す髪用化粧環体の分離分割して示す拡大斜面図
【図２】図１の毛髪用化粧環体を一体に組み込んだ状態の断面図
【図３】実際の使用状態を示す側面図
【考案を実施するための形態】
【００１２】
以下本考案実施するための最良の形態を、実施例により詳しく説明する。
【実施例】
【００１３】
本考案の一実施例を図面と共に説明する。
【００１４】
１は、毛髪Ｋを三つ編みなどの束ねた毛髪ｋを挿通できる小孔２を開孔し、内部に中空部３を備え、かつ下部開口４とさせた上部飾り環、５は、前記上部飾り環１の中空部３内に収容できる縦割開口部６を開口したカプセル容器であって、三つ編みなどの束ねた髪ｋの末端を集束固定させるもので、上部飾り環１からの抜脱を防止している。７は、中間飾り環で、上部限り環１の下部に着脱可能としている。そして、上部飾り環１内に挿通させた束ねた毛髪ｋを収納たしカプセル容器５の下部を収納可能としている。８は下部飾り環であって、底部９を備え、上部には中間飾り環７と着脱自在に設けて、前記カプセル容器５の抜脱を防止している。
【００１５】
なお、図示では、上部飾り環１と下部飾り環８との間に中間飾り環７を配設し、それぞれの上下端部に着脱可能のねじ部１０，１１を設けて、それぞれ上部飾り環１と中間飾り環７と下部飾り環８と着脱自在に連結できる構成としているが、中間飾り環７は必ずしも設ける必要はない。
【００１６】
さらに、図示において、１２は上部飾り環１の小孔２を穿った上板、１３はカプセル容器５の内面に突出させて設けたストッパー針を示すもので、束ねた毛髪ｋの抜け出しを防止するものである。
【００１７】
叙上の構成に基づいて本考案の作用を説明する。
【００１８】
主として、髪飾りを作りたい人は、毛髪Ｋの一部を三つ編みなど、好みの場所を自ら束ねて、棒状の束ねた毛髪ｋを作り、末端よりまず始めに分離された上部飾り環１の開口された小孔２より挿通し、さらにカプセル容器５の縦割開口部６を開口し乍ら、左右方向に開放力ｆを与えて、内部を広げて内部にそのまま又は折曲げ乍ら挿入固定する。
【００１９】
その際、カプセル容器５の内面に設けた突出させたストッパー針１３に、束ねた毛髪ｋの端部を挿し込み、固定させた状態に保って束ねた毛髪ｋの端部又は折り曲がった端部を確実に固定して、カプセル容器５内に収納して、カプセル容器５を上部飾り環１内に挿入し、中間飾り環７を使用しない時は直接下部飾り環８を重ね合わせ、ねじ部１０，１１を利用して螺合固定させて完成する。
【００２０】
この場合、中間飾り環７を介在させて、飾り状態を長尺にしたい時は中間飾り環７の上下端部のねじ部１０，１１を利用して、螺合固着することにより完成することもできる。
【００２１】
なお、図示しないが、予め大型のビーズやリング状の飾りなどを束ねた毛髪ｋの端部より挿入して置き、その後に上述の通り上部飾り環１及びカプセル容器５、そして中間飾り環７、下部飾り環８を固着して髪飾りを行うこともできる。
【００２２】
さらに、上下に連続した上部飾り環１及び下部飾り環８の外周には色模様、彫刻模様を含め、かつそれぞれの飾り環１，７，８の長さの変化を与えて、種々好みの綺麗な化粧仕上げができる。
【００２３】
特に、貴金属の金，銀，プラチナなどを配合された環１，７，８を製造して高価な飾り環として提供することも可能である。
【符号の説明】
【００２４】
１    上部飾り環
２    小孔
３    中空部
４    下部開口
５    カプセル容器
６    縦割開口部
７    中間飾り環
８    下部飾り環
９    底部
１０，１１  ねじ部
１２  上板
１３  ストッパー針
Ｋ    毛髪
ｋ    束ねた毛髪
【図１】
0003208891.tif 000003
【図２】
0003208891.tif 000004
【図３】
0003208891.tif 000005